【手続補正書】
【提出日】平成20年11月10日(2008.11.10)
【手続補正１】
【補正対象書類名】特許請求の範囲
【補正対象項目名】請求項３
【補正方法】変更
【補正の内容】
【請求項３】
頂部支持金物と頂部支持金物との間の中間部において新横架材を補助的に受けるために、波形石綿スレートの谷部に底部支持金物を配設し、底部支持金物は、前記頂部支持金物のうちの結合体と同一又はほゞ同一形状の結合体により新横架材を支持し得るよう、結合体の中央に支持ボルトが螺入する雌ねじを垂設し、支持ボルトの下端には頭部としての丸形の足部が形成され、支持ボルトのねじでの長さ調整により足部を波形石綿スレートの谷部に着接させることを特徴とする請求項１又は２記載の波形石綿スレートの屋根リフォーム工法。
【手続補正２】
【補正対象書類名】明細書
【補正対象項目名】全文
【補正方法】変更
【補正の内容】
【発明の詳細な説明】
【発明の名称】波形石綿スレートの屋根リフォーム工法
【技術分野】
【０００１】
この発明は、古くなった旧石綿スレート屋根をそのままにしてその上にさらに石綿を含まない新しいスレート屋根または折板屋根等を葺くための波形石綿スレートの屋根リフォーム工法に関する。
【背景技術】
【０００２】
スレート屋根には、従来一般的に、Ｃ型鋼を屋根に横架材として架設し、それにフックボルトで波形石綿スレートを止める葺き方が多く、その波形石綿スレートの屋根が朽ちて残存しているのが現状である。従来、これが朽ちたときには、修繕して改善し、あるいは撤去して新たに屋根を構築していたが、波形石綿スレートの成形材料にアスベストが３０％も使用されているのが問題となっており、工事中にアスベストが飛散する危険を防止するために、飛散が生じると考えられる穴あけ、撤去、溶接などの作業が禁じられるようになった。
【０００３】
波形石綿スレートが葺かれている構造については、図２に示すように、屋根に横架材１１としてのＣ型鋼が開口面を下向きに架設されており、波形石綿スレート１３にはその波形頂部においてフックボルト１７の通し穴を明け、通し穴にフックボルトを差し込んで下端のフックがＣ型鋼の開口縁に引っかけられ、波形石綿スレート１３の上においてフックボルトの軸に上下可能に取り付けられる笠パッキン２３をナット２１の締め付けで押し下げることにより、フックの引っ掛かりが外れないよう保持されている。したがって、波形石綿スレート１３の山部の上端にはフックボルト１７の雄ねじ２５が笠パッキン２３やナット２１とともに露出している。
【０００４】
しかし、葺き替えの時期になると、フックボルトの上端の雄ねじが錆びついて、ナットを外すことができなくなっていることが多く、そうすると、波形石綿スレートを撤去するときには、Ｃ型鋼からフックボルトを外すために、フックボルトを強く押し下げ時には打ち叩くことになるために、波形石綿スレートに無理な力が加わってそれが破壊し、破壊口からアスベストが飛散する危険を招く。また、外した波形石綿スレートを屋根から乱暴に落下させるとさらにアスベストの飛散が多く生じる危険もある。
【発明の開示】
【発明が解決しようとする課題】
【０００５】
この発明は、上記のような実情に鑑みて、波形石綿スレートで葺かれる旧屋根はそのままにしておいて、その上に石綿を含まない新しい波形スレート（または他の波形屋根板や折板屋根）を葺くことにして、この新屋根板の構築の基材としてのＣ型鋼からなる新横架材を安定して強力に架設できる波形石綿スレートの屋根リフォーム工法を提供することを課題とした。
【課題を解決するための手段】
【０００６】
この発明は、上記の課題を解決するため、Ｃ形鋼からなる旧横架材に旧フックボルトを掛け、その笠パッキンを旧ナットで締めることにより波形石綿スレートが葺かれている旧屋根の上に、石綿の含まない新屋根板で葺かれる新屋根を構築するために、旧横架材の上方に別のＣ形鋼の新横架材を基材として架設し、新横架材の架設について、それと波形石綿スレートとの間に、その山部を跨ぐ左右一対の脚部片と新横架材の結合体とを備えた頂部支持金物を介在させ、頂部支持金物を旧フックボルトの軸の上端に形成されている前記旧ナット締め用の雄ねじに、雌雄ねじ形の割りねじを螺着するともに締め金具で固着し、頂部支持金物の中心を貫通した割りねじの上端に新ナットを螺入して締め付けることにより、新横架材が支持されるよう頂部支持金物を固定することを特徴とする波形石綿スレートの屋根リフォーム工法を提供するものである。
【０００７】
波形石綿スレートの屋根リフォーム工法を上記のように構成したから、新横架材を支持する頂部支持金物が波形石綿スレートの山部を脚部片で跨いて取り付けられ、しかも、古くなって朽ちている旧フックボルトの雄ねじには、新たに割りねじが螺着されるとともに締め金具で固定して取り付けられ、割りねじにナットを螺合して締め付けることにより、頂部支持金物が安定して固定されるため、新屋根板を葺く基材としての新横架材を強力に支持することができる。
【発明の効果】
【０００８】
以上説明したように、この発明によれば、波形石綿スレートで葺かれている旧屋根はそのままにしてその上に新屋根板を葺くために、アスベストが飛散するような作業を省くことができ安全であり、しかも、旧屋根の旧フックボルトの雄ねじが錆びついていても、それを軸にして新たなねじを作り、それにナットを螺合して締め付けることにより、頂部支持金物を強固に取り付け、それに新横架材を架設することにより、アスベストが含まない新屋根板を簡単にしかも安定して葺くことができるという優れた効果がある。
【０００９】
また、請求項２および３の如くにすると、新横架材をさらに安定して支持でき、しかも、作業手順も良好である。
【発明を実施するための最良の形態】
【００１０】
次に、この発明の実施形態を図面に基づいて説明する。
【００１１】
図面は一実施の形態を示したもので、その波形石綿スレートの屋根リフォーム工法は、既存の旧屋根Ｒａはそのままにして、その上に新屋根Ｒｂが構築され、波形石綿スレート１３の山部に配列される頂部支持金物１と、複数の頂部支持金物１で受けられる新横架材２と、新横架材２の上に葺かれる新屋根板３とが用いられる。この新屋根板３には石綿の入っていない波形スレートが用いられ、それが新横架材２に新フックボルト７で止められる。また、頂部支持金物１と頂部支持金物１との間の中間において、補助的に底部支持金物５が用いられる。
【００１２】
旧屋根Ｒａは、旧横架材１１の上に波形石綿スレート１３を載置し、その頂部に有する抜け穴１５に旧フックボルト１７を差し込んでフックを旧横架材１１に掛け、上端の雄ねじ２５に旧ナット２１を締めることにより、その下の笠パッキン２３を抜け穴１５の周縁部に圧接させてある。旧フックボルト１７は、３５年〜４０年経過しているため、旧ナット２１が螺入される雄ねじ２５が錆びついている。しかし、この旧フックボルト１７の使用適正について、富山県工業技術センターでその引っ張り試験を行ったところ、その試験結果から表１に示す通り、「フック部の曲がり」と「ねじ部からのフックの抜け」について、十分な強度を有することが分かった。
【００１３】
表１の記載のうち、「ねじ部からのフックの抜け」については、後記するように、錆びた旧フックボルト１７の雄ねじ２５に、割りねじ３１を螺着し、締め金具３３で締め付けた状態において、「その割りねじ３１からのフックボルト１７の抜け」の最大荷重において雄ねじ２５に対する割りねじ３１の引っ張り強度を示したが、当初予想していたよりも２〜３倍の強度アップであって、むしろフックの方が先に折れることもあった。
【００１４】
【表１】
2007186941.tif 000001
【００１５】
旧横架材１１および新横架材２にはＣ型鋼が用いられ、いずれも断面開口を下向きにして、旧横架材１１は建物の梁等の間に架設されるが、新横架材２は配列される複数の頂部支持金物１，１，・・の上に架設され、頂部支持金物１が旧横架材１１に掛かる旧フックボルト１７に取り付けられるので、新横架材２は旧横架材１１の丁度上に配置されることになる。しかし、支持箇所が波形石綿スレート１３の山部に限られるので、後記するように、旧横架材１１が真下となるしっかりした基盤の谷部において頂部支持金物１を反り部３７ａ，３７ａで支持させることに加えて、谷部に底部支持金物５が配置される。
【００１６】
頂部支持金物１は、波形石綿スレート１３の波に載る金物本体２７と、その頂部に嵌まる結合体２９と、旧フックボルト１７の雄ねじ２５に嵌める割りねじ３１と、割りねじ３１の締め金具３３と、割りねじ３１に螺入する新ナット３４とからなる。
【００１７】
そのうち、金物本体２７は、帯鋼板に曲げ加工を施すことにより成形され、波形石綿スレート１３の山頂に位置する起立部３５を中央として、それから左右にそれぞれ山に沿って下るとともに隣接山に沿って少し反り上がる形状の脚部片３７，３７が連設されたもので、両反り部３７ａ，３７ａがあるために、金物本体２７が傾く不都合が一層防止されるだけでなく、前記の如く、脚部片３７，３７が旧横架材１１にそのまま（空間なしに）支持される。しかも、脚部片３７，３７には幅中央に沿って隆起リブ３８，３８が形成されているため、その支持は確実に上端に及ぶ。
【００１８】
金物本体２７の起立部３５は、上端が偏平で二股の屈折形状であるが、前記両反り部３７ａ，３７ａやリブ３８，３８があるために開拡が阻止される安定性がある。上端面には割りねじ３１の通し溝穴３９が横方向に長く設けられている。また、起立部３５の上部において、通し溝穴３９の幅方向の両側端において切欠４１，４１が設けられ、その分だけ起立部３５の幅が狭くなる頭部４３が形成される。こうすると、切欠４１，４１で受けられるため結合体２９が傾かないようにスライド可能に安定して頭部４３に嵌まっている。この結合体２９のスライドは、中央の通し穴５５を下の前記通し溝穴３９に沿って位置調整するためで、これによって、フックボルト１７の雄ねじ２５の位置に予期しない誤差があっても、割りねじ３１を通し穴５５に通し、新ナット３４で締め付け得る状態が得られる。
【００１９】
結合体２９は、鋼板を曲げ加工することにより形成され、上記のように頭部４３に嵌まる逆チャンネル形の断面形状の嵌合央部４７を基体として、その前後両側下端にはＬ字形の屈折側部片４９，４９が連設される。新横架材２は、嵌合央部４７に被嵌されることにより、屈折側部片４９，４９の起立部間に挟持されるとともに、その下端の基部で受け止められる。また、嵌合央部４７の左右両端には、新横架材２の中に深く突入する起立片５３，５３が突設され、中央部には割りねじ３１の通し穴５５が新ナット３４が掛かる大きさに形成される。なお、起立片５３，５３は、新横架材２との結合を安定化させることのほかに嵌合央部４７のリブとしての作用を果たす。また、屈折側部片４９，４９には、一対ずつビス５７，５７の通し穴５８，５８が設けられ、最終的には、新横架材２にビスをねじ込んでそれが結合体２９に固定される。
【００２０】
割りねじ３１は、筒形の内周面に旧フックボルト１７の雄ねじ２５に螺合する雌ねじを、外周面には新ナット３４が螺合する雄ねじがそれぞれ形成される雌雄両ねじ形であって、下端部に割り溝５９を設けたもので、締め金具３３は、割り溝５９の箇所で割りねじ３１を絞ることにより旧フックボルト１７の雄ねじ２５との結合を強化するようにしたものである。
【００２１】
締め金具３３の構造については、割りねじ３１に囲むように嵌まる割り筒形であって、割り筒形の開口両端に相対面し先端が屈折して支点として噛み合う締め片６１，６２が突設され、両締め片６１，６２にボルト６３の通し穴６５を設け、ナット６７で締めつけるようにしたもので、一方の締め片６１の両側にはボルト６３の四角頭部の回転を止め得るように掛かるリブ兼用の係合縁６９，６９が形成される。これにより、結合体２９をスライドにより位置調整しながら、結合体２９の通し穴５５と通し溝穴３９に割りねじ３１を通すとともに、旧フックボルト１７の雄ねじ２５に締め金具３３により割りねじ３１を固定し、割りねじ３１に対する新ナット３４の締め付けが結合体２９の上においてなされる。
【００２２】
頂部支持金物１と頂部支持金物１との間の中間部において新横架材２を補助的に受けるために、波形石綿スレート１３の谷部に底部支持金物５が配設されている。その底部支持金物５には、新横架材２の結合体２９ａが用いられ、それは頂部支持金物１のうちの結合体２９と同じ形状であって、結合体２９ａの中央に長ナットの雌ねじ７１を溶接して垂設し、それに支持ボルト７３を螺入して取り付けたもので、支持ボルト７３の下端には頭部としての足部７５が波形石綿スレート１３の谷部に（旧横架材１１との接触箇所に）当たりやすく円形（丸形）に形成される。そこで、頂部支持金物１で新横架材２を架設した後で、波形石綿スレート１３の谷部において、新横架材２に下から結合体２９ａを差し込み、支持ボルト７３のねじでの長さ調整により下端の足部７５を波形石綿スレート１３の谷部に圧接させることにより、新横架材２を強固な旧横架材１１に直接的に支持する体勢とすることができる。
【００２３】
結合体２９ａは、頂部支持金物１の結合体２９と同じであるが、ちなみに形状について説明すると、新横架材２の開口部に嵌まる逆チャンネル形の断面形状の嵌合央部４７ａを基体として、そのチャンネル形の両側下端にはＬ字形の屈折側部片４９ａ，４９ａが連設される。新横架材２との関係では、それが嵌合央部４７ａに嵌まることにより、屈折側部片４９ａ，４９ａのＬ字形起立部間に挟持されるとともに、下端の基部で受けられる。また、嵌合央部４７ａの左右両端には、新横架材２の中に深く突入する起立片５３ａ，５３ａが突設され、中央部には支持ボルト７３の通し穴５５ａが形成される。また、屈折側部片４９ａ，４９ａには、新横架材２との結合強化のため一対ずつビス５７ａ，５７ａの通し穴５８ａ，５８ａが設けられる。
【図面の簡単な説明】
【００２４】
【図１】この発明によるリフォーム屋根を示す断面図である。
【図２】同リフォーム屋根を既存のままの旧屋根において主要部を分解して示す斜視図である。
【図３】同実施形態における底部支持金物を示す斜視図である。
【符号の説明】
【００２５】
Ｒａ  旧屋根
Ｒｂ  新屋根
１  頂部支持金物
２  新横架材
３  新屋根板
５  底部支持金物
１１  旧横架材
１３  波形石綿スレート
１７  旧フックボルト
２１  旧ナット
２３  笠パッキン
２５  雄ねじ
２７  金物本体
２９  結合体
２９ａ  結合体
３１  割りねじ
３３  締め金具
３４ 新ナット
３５  起立部
３７  脚部片
３７ａ  反り部
３９  通し溝穴
４３  頭部
４７  嵌合央部
４９  屈折側部片
５３  起立片
５５  通し穴
６１，６２  締め片
６３  ボルト
６７  ナット
７１  雌ねじ
７３  支持ボルト
７５  足部
【手続補正３】
【補正対象書類名】図面
【補正対象項目名】全図
【補正方法】変更
【補正の内容】
【図１】
2007186941.tif 000002
【図２】
2007186941.tif 000003
【図３】
2007186941.tif 000004